(57)【要約】【課題】部品点数が少なく、スペースの制約を受けにくいガイドポールの調整機構を有するレンズ鏡筒を提供する。【解決手段】レンズ鏡筒１は、第１の後方ガイドポール１８Ａと、レンズを支持し、第１の後方ガイドポール１８Ａに沿って移動可能なレンズ支持枠２２と、第１の後方ガイドポール１８Ａの一端部に設けられたガイドポール調整機構３２と、を有し、ガイドポール調整機構３２は、ガイドポール調整機構３２の一端部を保持する回動部材１６と、回動部材１６が収容される収容空間６Ｇが形成され、回動部材１６を回動可能に支持する回動部材支持部６Ｄと、を有し、回動部材１６には、回動部材１６を回転させるための操作ピン３２を接続可能である。【選択図】図３
2020064214.tif 000002
【特許請求の範囲】
【請求項１】
ガイドポールと、
レンズを支持し、前記ガイドポールに沿って移動可能なレンズ保持枠と、
前記ガイドポールの少なくとも一端部に設けられたガイドポール調整機構と、を有するレンズ鏡筒であって、
前記ガイドポール調整機構は、
前記ガイドポールの前記一端部を保持する回動部材と、
前記回動部材が収容される収容空間が形成され、前記回動部材を回動可能に支持する回動部材支持部と、を有し、
前記回動部材には、前記回動部材を回転させるための操作部材を接続可能である、ことを特徴とするレンズ鏡筒。
【請求項２】
ガイドポールと、
レンズを支持し、前記ガイドポールに沿って移動可能なレンズ保持枠と、
前記ガイドポールの少なくとも一端部に設けられたガイドポール調整機構と、を有するレンズ鏡筒であって、
前記ガイドポール調整機構は、
前記ガイドポールの前記一端部を保持する回動部材と、
前記回動部材が収容される収容空間が形成され、前記回動部材を回動可能に支持する回動部材支持部と、
前記回動部材を回転させるための前記回動部材に接続された操作部材と、を有する、ことを特徴とするレンズ鏡筒。
【請求項３】
前記回動部材は、少なくとも前記回動部材支持部の収容空間の壁面に当接する部分が球状に形成されている、ことを特徴とする請求項１又は２に記載のレンズ鏡筒。
【請求項４】
さらに、ケーシングを備え、前記ケーシングに前記回動部材支持部は形成されており、
前記ケーシングには、外部と前記収容空間とを連通する開口が設けられ、
前記操作部材は前記開口を通じて前記回動部材に接続される、請求項１〜３の何れか１項に記載のレンズ鏡筒。
【請求項５】
前記回動部材には前記ガイドポールの前記一端部を収容可能な凹部又は孔が形成され、
前記凹部又は孔の内周には突部が形成され、前記回動部材は、前記突部により前記ガイドポールの前記一端部を支持している、
請求項１〜４の何れか１項に記載のレンズ鏡筒。
【請求項６】
前記収容空間は、前記回動部材の直径と略等しい直径を有する円柱状の本体部と、
前記本体部のガイドポールの他端側に連続し、直径が小さくなる縮径部と、を有する、
請求項１〜５の何れか１項に記載のレンズ鏡筒。
【請求項７】
ガイドポールと、レンズを支持し、前記ガイドポールに沿って移動可能なレンズ保持枠と、を有するレンズ鏡筒における前記ガイドポールの姿勢を調整するための調整機構であって、
前記ガイドポールの一端部を保持する回動部材と、
前記回動部材が収容される収容空間が形成され、前記回動部材を回動可能に支持する回動部材支持部と、を有し、
前記回動部材には、前記回動部材を回転させるための操作部材を接続可能である、ことを特徴とするガイドポールの調整機構。
【発明の詳細な説明】
【技術分野】
【０００１】
本発明は、レンズ鏡筒及びガイドポールの調整機構に関する。
【背景技術】
【０００２】
従来より、監視カメラやビデオカメラにおけるレンズ鏡筒では、ズーミングやフォーカシングを行うための機構として、レンズを保持するレンズ保持枠と、光軸方向に延びるレンズ保持枠をガイドするためのガイドポールと、を有するガイド機構が用いられている。このようなガイド機構によれば、モータ又は手動によりレンズ保持枠がガイドポールに沿って移動することにより、ズーミングやフォーカシングを行うことができる。
【０００３】
ここで、このようなガイド機構を有するレンズ鏡筒では、レンズや各部材の製造精度や、組立精度によりガイドポールがレンズの光軸に対してずれてしまい、所望の光学性能が得られない場合がある。そこで、例えば、特許文献１には、ガイドポールの端部に球形状の接触部を設けるとともに、接触部が嵌合する支持孔を有するガイドポール支持枠を設け、ガイドポール支持枠を光軸に対して交差する方向に移動させることにより、ガイドポールを調整することができるレンズ鏡筒が開示されている。
【先行技術文献】
【特許文献】
【０００４】
【特許文献１】特開２０１２−１７３５２４号公報
【発明の概要】
【発明が解決しようとする課題】
【０００５】
しかしながら、特許文献１に記載された発明では、調整プレートによりガイドポールを調整する際に嵌合孔部がガイドポールにより変形させられる事を低減する構成であるものの、ガイドポールの少なくとも一端側にガイドポール支持枠を設けるとともに、このガイドポール支持枠が移動可能なスペースを設ける必要があり、調整用の部品点数が多くなるとともに、スペースの制約を受けてしまう。
【０００６】
本発明は、上記の課題に鑑みなされたものであり、その目的は、部品点数が少なく、スペースの制約を受けにくいガイドポールの調整機構を有するレンズ鏡筒を提供することである。
【課題を解決するための手段】
【０００７】
本発明のレンズ鏡筒は、ガイドポールと、レンズを支持し、ガイドポールに沿って移動可能なレンズ保持枠と、ガイドポールの少なくとも一端部に設けられたガイドポール調整機構と、を有するレンズ鏡筒であって、ガイドポール調整機構は、ガイドポールの一端部を保持する回動部材と、回動部材が収容される収容空間が形成され、回動部材を回動可能に支持する回動部材支持部と、を有し、回動部材には、回動部材を回転させるための操作部材を接続可能である、ことを特徴とする。
【０００８】
また、本発明のレンズ鏡筒は、ガイドポールと、レンズを支持し、ガイドポールに沿って移動可能なレンズ保持枠と、ガイドポールの少なくとも一端部に設けられたガイドポール調整機構と、を有するレンズ鏡筒であって、ガイドポール調整機構は、ガイドポールの前記一端部を保持する回動部材と、回動部材が収容される収容空間が形成され、回動部材を回動可能に支持する回動部材支持部と、回動部材を回転させるための回動部材に接続された操作部材と、を有する、ことを特徴とする。
【０００９】
上記構成の本発明によれば、操作部材により回動部材を回動させることにより、ガイドポールの一端部の位置を光軸方向と垂直な方向に移動させることができる。このように本発明によれば、少ない部材でガイドポールの位置を調整することができる。また、本発明によれば、回動部材を回転させることによりガイドポールの位置を調整しており、収容空間に収容された回動部材は移動しないため、調整用のスペースを設ける必要がない。
さらに、操作部材が回動部材に対して接続可能である場合には、ガイドポールの位置を調整した後、操作部材を取り除くことができる。
【００１０】
本発明において、好ましくは、回動部材は、少なくとも回動部材支持部の収容空間の壁面に当接する部分が球状に形成されている。
上記構成の本発明によれば、回動部材の可動範囲が限られないため、細かく精密な調整が可能になる。
【００１１】
本発明において、好ましくは、さらに、ケーシングを備え、ケーシングに回動部材支持部は形成されており、ケーシングには、外部と収容空間とを連通する開口が設けられ、操作部材は開口を通じて回動部材に接続される。
【００１２】
上記構成の本発明によれば、レンズ鏡筒の外側から操作部材により回動部材を回転させることができ、組立が完了したレンズ鏡筒であってもガイドポールの位置を調整できる。
【００１３】
本発明において、好ましくは、回動部材にはガイドポールの一端部を収容可能な凹部又は孔が形成され、凹部又は孔の内周には突部が形成され、回動部材は、突部によりガイドポールの一端部を支持している。
【００１４】
上記構成の本発明によれば、突部でガイドポールを支持しているため、回動部材の凹部又は孔とガイドポールとの接触面積が小さくなり、回動部材をスムーズに回動できる。
本発明において、好ましくは、収容空間は、回動部材の直径と略等しい直径を有する円柱状の本体部と、本体部のガイドポールの他端側に連続し、直径が小さくなる縮径部と、を有する。
【００１５】
上記構成の本発明によれば、回動部材が本体部及び縮壁部の側壁面に当接して支持されるため、スムーズに回動部材を回転させることができる。
【００１６】
本発明のガイドポールの調整機構は、ガイドポールと、レンズを支持し、ガイドポールに沿って移動可能なレンズ保持枠と、を有するレンズ鏡筒におけるガイドポールの姿勢を調整するための調整機構であって、ガイドポールの一端部を保持する回動部材と、回動部材が収容される収容空間が形成され、回動部材を回動可能に支持する回動部材支持部と、を有し、回動部材には、回動部材を回転させるための操作部材を接続可能である、ことを特徴とする。
【００１７】
上記構成の本発明によれば、操作部材により回動部材を回動させることにより、ガイドポールの一端部の位置を光軸方向と垂直な方向に移動させることができる。このように本発明によれば、少ない部材でガイドポールの位置を調整することができる。また、本発明によれば、回動部材を回転させることによりガイドポールの位置を調整しており、収容空間に収容された回動部材は移動しないため、調整用のスペースを設ける必要がない。また、ガイドポールの位置を調整した後、操作部材を取り除くことができる。
【発明の効果】
【００１８】
本発明によれば、スペースの制約を受けにくいガイドポールの調整機構を有するレンズ鏡筒を提供することができる。
【図面の簡単な説明】
【００１９】
【図１】第１実施形態のレンズ鏡筒を示す斜視図である。
【図２】第１実施形態のレンズ鏡筒を示す正面図である。
【図３】図２におけるＡ−Ａ断面図である。
【図４】図２におけるＢ−Ｂ断面図である。
【図５】第１実施形態のレンズ鏡筒を示す分解斜視図である。
【図６】第１実施形態における第１の後方ガイドポールを調整するためのガイドポール調整機構を示す斜視断面図である。
【図７】第１実施形態におけるガイドポール調整機構の回動部材、回動部材保持部及び第１の後方ガイドポールを示す断面図である。
【図８】ガイドポール調整機構の回動部材に操作ピンを接続する様子を示し、回動部材の近傍を拡大して示す斜視図である。
【図９】ガイドポール調整機構の回動部材に操作ピンを接続する様子を示し図４に対応する断面図である。
【図１０】ガイドポール調整機構により第１の後方ガイドポールの位置を調整する様子を示し図８に対応する斜視図である。
【図１１】ガイドポール調整機構により第１の後方ガイドポールの位置を調整する様子を示すレンズ鏡筒の斜視図である。
【図１２】図１２は、ガイドポール調整機構により第１の後方ガイドポールの位置を変更した状態を示し図７に対応した図である。
【図１３】第２実施形態のレンズ鏡筒の回動部材支持部を示す断面図である。
【図１４】第３実施形態のレンズ鏡筒の回動部材支持部を示す断面図である。
【図１５】第４実施形態のレンズ鏡筒の回動部材支持部を示す断面図である。
【発明を実施するための形態】
【００２０】
以下、本発明のレンズ鏡筒及びガイドレバーの調整機構の第１実施形態について図面を参照しながら、詳細に説明する。
図１〜５は、第１実施形態のレンズ鏡筒を示し、図１は斜視図、図２は正面図、図３は図２におけるＡ−Ａ断面図、図４は図２におけるＢ−Ｂ断面図、図５は分解斜視図である。本実施形態のレンズ鏡筒は、監視カメラに取り付けられるズーミング可能なレンズ鏡筒である。
【００２１】
図１〜図４に示すように、本実施形態のレンズ鏡筒１は、光軸方向に延びる略直方体状のケーシング２に第１〜第４レンズ群を構成するレンズが収容されて構成されている。ケーシング２は、結像側から順に接続されたマウント４と、後部鏡筒６と、主鏡筒８と、先端部材１０と、を有する。
【００２２】
図３及び図４に示すように、主鏡筒８は、光軸方向の中間に設けられた中間板８Ａと、中間板８Ａから結像側に延びる四角筒状の後方外周部８Ｂと、中間板８Ａから被写体側に延びる四角筒状の前方外周部８Ｃとを有する。後方外周部８Ｂ及び前方外周部８Ｃはそれぞれ環状の断面を有し、後方外周部８Ｂの幅及び高さが前方外周部８Ｃの幅及び高さよりも大きくなっている。中間板８Ａは、光軸と垂直方向に延びる板材からなり、中央に円形の開口８Ｄが形成されており、中間板８Ａの結像側の面の開口８Ｄの外側には第３レンズ群保持枠１２が設けられている。また、中間板８Ａの結像側の面の開口８Ｄの外側には、第１の後方保持部８Ｅと、第２の後方保持部８Ｆ（図５）とが形成されており、被写体側の面には第１の前方保持部８Ｇと、第２の前方保持部８Ｈが形成されている。第１の後方保持部８Ｅ、第２の後方保持部８Ｆ、第１の前方保持部８Ｇ、及び、第２の前方保持部８Ｈは円筒状に形成されている。また、主鏡筒８の先端部には段部８Ｉが形成されている。
【００２３】
図４に示すように、先端部材１０は略矩形状の板材であり、中心に円形の開口１０Ａが形成されている。先端部材１０の結像側の面の開口１０Ａの外側には、円筒状の第１の保持部１０Ｂと第２の保持部１０Ｃが形成されている。先端部材１０の第１の保持部１０Ｂ及び第２の保持部１０Ｃは、主鏡筒８の第１の前方保持部８Ｇ及び第２の前方保持部８Ｈと、それぞれ、光軸方向並ぶような位置に形成されている。図３及び図４に示すように、先端部材１０は主鏡筒８の前方外周部８Ｃを被写体側から閉塞するように、主鏡筒８の段部８Ｉに取り付けられている。また、主鏡筒８の先端面には第１レンズ群保持枠１４が取り付けられている。第１レンズ群保持枠１４には第１レンズ群を構成するレンズ１４Ａが保持されている。
【００２４】
後部鏡筒６は、光軸と垂直方向に延びる板状の板部６Ａと、板部６Ａの外周を包囲する外周部６Ｂとを有する。外周部６Ｂは環状の断面を有し、その幅及び高さが主鏡筒８の後方外周部８Ｂの幅及び高さと略等しくなっている。板部６Ａには光軸を中心とした円形の開口６Ｃが形成されている。また、板部６Ａの被写体側の面には、回動部材支持部６Ｄが形成されている。回動部材支持部６Ｄは結像側から被写体側に向かって延びる収容空間６Ｇ（図６）が形成されており、収容空間６Ｇ内には回動部材１６が支持されている。回動部材支持部６Ｄは、主鏡筒８の第１の後方保持部８Ｅと光軸方向に並ぶような位置に形成されている。また、板部６Ａの被写体側の面には、円筒状の第１の保持部６Ｈが形成されている。
【００２５】
マウント４は、後部鏡筒６の外周部６Ｂを結像側から閉塞するように後部鏡筒６に取り付けられている。マウント４の中央には開口４Ａが形成されている。また、マウント４の被写体側の面の回動部材支持部６Ｄと光軸方向に並ぶ位置には、保持部４Ｂが形成されている。
【００２６】
マウント４と主鏡筒８の中間板８Ａとの間には、第１及び第２の後方ガイドポール１８Ａ、１８Ｂが光軸方向に延びるように保持されており、主鏡筒８の中間板８Ａと先端部材１０との間には、第１及び第２の前方ガイドポール２０Ａ、２０Ｂが光軸方向に延びるように保持されている。
【００２７】
第１及び第２の後方ガイドポール１８Ａ、１８Ｂは、フォーカス用の第４レンズ群を構成する後方レンズ２２Ｅを保持する後方レンズ保持枠２２を光軸方向に移動可能に保持している。後方レンズ保持枠２２は、板状の保持枠本体２２Ａと、保持枠本体２２Ａの縁に形成されたガイドポール保持部２２Ｂと、保持枠本体２２Ａの縁に形成された切欠部２２Ｃと、駆動部２２Ｄと、を有する。
【００２８】
保持枠本体２２Ａの中央には開口が形成されており、この開口に後方レンズ２２Ｅが保持されている。ガイドポール保持部２２Ｂは光軸方向に延びる円筒状の部位であり、内側を第１の後方ガイドポール１８Ａが挿通しており、前後端部で第１の後方ガイドポール１８Ａを保持している。切欠部２２Ｃには第２の後方ガイドポール１８Ｂが位置している。このような構成により、後方レンズ保持枠２２は光軸方向に移動可能に保持されている。また、後部鏡筒６の外周部には第１のモータ２４が設けられており、第１のモータ２４は結像側に延びるシャフト２４Ａを有している。後方レンズ保持枠２２の駆動部２２Ｄは、第１のモータ２４のシャフト２４Ａと係合しており、第１のモータ２４がシャフト２４Ａを回転させることにより、後方レンズ保持枠２２が第１及び第２の後方ガイドポール１８Ａ、１８Ｂにガイドされて光軸方向に移動する。
【００２９】
第１及び第２の前方ガイドポール２０Ａ、２０Ｂは、ズーム用の第２レンズ群を構成する前方レンズ（図示せず）を保持する前方レンズ保持枠２６を光軸方向に移動可能に保持している。前方レンズ保持枠２６は、板状の保持枠本体２６Ａと、保持枠本体２６Ａの縁に形成されたガイドポール保持部２６Ｂと、保持枠本体２２Ａの縁に形成された切欠部（図示せず）と、駆動部（図示せず）と、を有する。
【００３０】
保持枠本体２６Ａの中央には開口が形成されており、この開口にレンズ２６Ｅが保持されている。ガイドポール保持部２６Ｂは光軸方向に延びる円筒状の部位であり、内側を第１の前方ガイドポール２０Ａが挿通しており、前後端部で第１の前方ガイドポール２０Ａを保持している。切欠部には第２の前方ガイドポール２０Ｂが位置している。このような構成により、前方レンズ保持枠２６は光軸方向に移動可能に保持されている。また、後部鏡筒６の外周部には第２のモータ２８が設けられており、第２のモータ２８は被写体側に延びるシャフト（図示せず）を有している。前方レンズ保持枠２６の駆動部は、第２のモータ２８のシャフトと係合しており、第２のモータ２８がシャフトを回転させることにより、前方レンズ保持枠２６が第１及び第２の前方ガイドポール２０Ａ、２０にガイドされて光軸方向に移動する。
【００３１】
本実施形態では、第１の後方ガイドポール１８Ａの結像側の端部に、ガイドポール調整機構３０が設けられており、このガイドポール調整機構３０により第１の後方ガイドポール１８Ａの位置を調整可能である。図６は、第１実施形態における第１の後方ガイドポールを調整するためのガイドポール調整機構を示す斜視断面図であり、図７は第１実施形態におけるガイドポール調整機構の回動部材、回動部材保持部及び第１の後方ガイドポールを示す断面図である。
【００３２】
図６及び図７に示すように、ガイドポール調整機構３０は、回動部材１６と、後部鏡筒６に形成された回動部材支持部６Ｄと、後述する回動部材１６を回転させるための操作ピン（操作部材）３２（図１）と、により構成される。なお、回動部材１６を回転させるための操作部材の形状は、ピン形状には限定されない。
【００３３】
回動部材支持部６Ｄは、光軸方向に延びる収容空間６Ｇを有する。収容空間６Ｇは、結像側の本体部６Ｇ１と、被写体側の小径部６Ｇ２と、本体部６Ｇ１と小径部６Ｇ２との間の縮径部６Ｇ３とを有する。本体部６Ｇ１は円柱状の空間であり、本体部６Ｇ１の直径は、回動部材１６の直径と略等しくなっている。なお、ここでいう略等しいとは、本体部６Ｇ１内に回動部材１６を収容可能であるとともに、本体部６Ｇ１の内面と回動部材１６の外面と間には隙間が存在しないか、存在するとしても非常に微小な幅の隙間しか存在しない状態をいう。小径部６Ｇ２の直径は、本体部６Ｇ１の直径よりも小さく、第１の後方ガイドポール１８Ａの直径よりも大きい。縮径部６Ｇ３は、光軸方向に被写体側に向かって直径が連続的に変わるような截頭円錐台状（光軸方向の断面形状が台形である形状）である。回動部材１６は、外周面が本体部６Ｇ１の側壁に当接し、かつ、前端部が縮径部６Ｇ３に当接するように収容空間６Ｇ内に収容され、前端部が結像側からマウント４の保持部４Ｂにより当接することにより、回動可能に支持されている。収容空間６Ｇは、開口６Ｆを通じて外部と連通している。
【００３４】
回動部材１６には中心を通って貫通する第１の後方ガイドポール１８Ａの一端部を収容可能な貫通孔１６Ａが形成されている。貫通孔１６Ａの直径は、第１の後方ガイドポール１８Ａの直径よりも大きくなっており、貫通孔１６Ａの内面と第１の後方ガイドポール１８Ａとの間には隙間が設けられている。貫通孔１６Ａの内面には中心に向かって突出する突部１６Ｂが全周にわたって設けられている。突部１６Ｂの内径は、第１の後方ガイドポール１８Ａの直径と略等しくなっている。第１の後方ガイドポール１８Ａは、結像側の一端部が小径部６Ｇ２を挿通するように配置されており、第１の後方ガイドポール１８Ａの一端部に回動部材１６の突部１６Ｂが全周にわたって当接している。これにより、第１の後方ガイドポール１８Ａの一端部は、回動部材１６に保持されている。回動部材１６の、回動部材支持部６Ｄの開口６Ｆ側の側部には、矩形断面の凹部１６Ｃ（図５）が形成されている。この凹部１６Ｃには、回動部材支持部６Ｄの開口６Ｆを通じて外部から操作ピン（図１）の先端部を挿入することができる。なお、本実施形態では、回動部材１６に貫通孔１６Ａを形成しているが、これに限らず、一方のみが開口する凹部を形成してもよい。
【００３５】
回動部材１６は略球状に形成されている。本実施形態では、回動部材１６の貫通孔１６Ａに当たる部分、及び、凹部１６Ｃが形成されている部分以外の外周面の全域が球状になっている。本実施形態のように、第１の後方ガイドポール１８Ａを保持するための貫通孔１６Ａ（又は凹部）及び操作ピンを接続するための凹部１６Ｃ（接続部）が形成された部分以外の外周面が球状であることが好ましいが、これに限らず、収容空間６Ｇの内面に当接する部分が球状であればよい。
【００３６】
次に、本実施形態のレンズ鏡筒において、第１の後方ガイドポール１８Ａの位置を調整する方法を説明する。
図８及び図９は、ガイドポール調整機構の回動部材に操作ピンを接続する様子を示し、図８は、回動部材の近傍を拡大して示す斜視図であり、図９は、図４に対応する断面図である。
【００３７】
図８及び図９に示すように、操作ピン３２は、円柱状の本体部３２Ｂと、本体部３２Ｂの先端面に立設された接続部３２Ａを有する。接続部３２Ａは回動部材１６の凹部１６Ｃと略同じ矩形状の断面を有する。操作ピン３２は、後部鏡筒６の回動部材支持部６Ｄの側部に形成された開口６Ｆを通じて挿入し、接続部３２Ａを回動部材１６の凹部１６Ｃに挿入することにより回動部材１６に接続することができる。
【００３８】
第１の後方ガイドポール１８Ａを支持する際には、マウント４側にカメラ本体（図示せず）を取り付けた状態で、第４レンズ群の光軸のずれを特定する。そして、特定した光軸のずれに合わせて、ガイドポール調整機構３０により第１の後方ガイドポール１８Ａの位置を調整する。
【００３９】
図１０及び図１１は、ガイドポール調整機構により第１の後方ガイドポールの位置を調整する様子を示し、図１０は図８に対応する斜視図であり、図１１はレンズ鏡筒の斜視図である。また、図１２は、ガイドポール調整機構により第１の後方ガイドポールの位置を変更した状態を示し、図７に対応した図である。
【００４０】
図１０及び図１１に矢印Ａで示すように、操作ピン３２を、回動部材１６を中心として水平方向平面内で回転させる。これにより、図１２に示すように、回動部材１６が水平方向平面内で回転し、回動部材１６により保持された第１の後方ガイドポール１８Ａが水平方向に移動する。また、これと同様に、図１０及び図１１に矢印Ｂで示すように、操作ピン３２を、回動部材１６を中心として鉛直方向平面内で回転させる。これにより、回動部材１６が鉛直方向平面内で回転し、回動部材１６により保持された第１の後方ガイドポール１８Ａが鉛直方向に移動する。以上のようにして、第１の後方ガイドポール１８Ａの一端部の位置を光軸に垂直な平面内で調整することができる。このようにして第１の後方ガイドポール１８Ａの一端部の位置を調整したら、操作ピン３２を回動部材１６から引き抜き、回動部材１６を接着剤等により固定する。
【００４１】
本実施形態によれば、以下の効果が奏される。
本実施形態によれば、操作ピン３２により回動部材１６を回動させることにより、第１の後方ガイドポール１８Ａの一端部の位置を光軸方向と垂直な方向に移動させることができる。このように本実施形態によれば、少ない部材で第１の後方ガイドポール１８Ａの位置を調整することができる。また、本実施形態によれば、回動部材１６を回転させることにより第１の後方ガイドポール１８Ａの位置を調整しており、回動部材１６は移動しないため、調整用のスペースを設ける必要がない。
【００４２】
本実施形態によれば、回動部材１６の貫通孔１６Ａに当たる部分、及び、凹部１６Ｃが形成されている部分以外の外周面の全域が球状になっているため、回動部材１６の可動範囲が限られないため、細かく精密な調整が可能になる。
【００４３】
本実施形態によれば、後部鏡筒６には、外部と収容空間６Ｇとを連通する開口６Ｆが設けられ、操作ピン３２は開口６Ｆを通じて回動部材１６に接続可能である。これにより、レンズ鏡筒１の外側から操作ピン３２により回動部材１６を回転させることができ、組立が完了したレンズ鏡筒１であっても第１の後方ガイドポール１８Ａの位置を調整できる。
【００４４】
また、本実施形態では、回動部材１６の貫通孔１６Ａの内周には突部１６Ｂが形成され、回動部材１６は、突部１６Ｂにより第１の後方ガイドポール１８Ａの一端部を支持している。これにより、回動部材１６の貫通孔１６Ａと第１の後方ガイドポール１８Ａとの接触面積が小さくなり、回動部材１６をスムーズに回動できるとともに、回動部材１６を回動させた際に第１の後方ガイドポール１８Ａに作用する力を低減できる。
【００４５】
また、本実施形態では、回動部材支持部６Ｄの収容空間６Ｇは、回動部材１６の直径と略等しい直径を有する円柱状の本体部６Ｇ１と、本体部６Ｇ１に連続し、直径が小さくなる縮径部６Ｇ３と、を有する。これにより、回動部材１６が本体部６Ｇ１及び縮径部６Ｇ３の側壁面に当接して支持されるため、スムーズに回動部材１６を回転させることができる。
【００４６】
また、本実施形態では、操作ピン３２は回動部材１６に対して接続可能である。これにより、第１の後方ガイドポール１８Ａの位置を調整した後、操作ピン３２を取り除くことができる。
【００４７】
なお、上記実施形態では、監視カメラに取り付けられるレンズ鏡筒について説明したが、これに限らず、コンパクトデジタルカメラや、ビデオカメラに取り付けられるレンズ鏡筒にも本発明を適用することができる。
【００４８】
また、上記実施形態では、第１の後方ガイドポール１８Ａの結像側の端部にガイドポール調整機構３０を設けたが、第１の後方ガイドポール１８Ａの被写体側の端部に設けてもよいし、両端部に設けてもよい。また、上記実施形態では、第１の後方ガイドポール１８Ａのみにガイドポール調整機構３０を設けたが、これに限らず、第２の後方ガイドポール１８Ｂや、第１及び第２の前方ガイドポール２０Ａ、２０Ｂの一端部又は両端部に設けてもよい。
【００４９】
また、上記実施形態では、操作ピン３２が回動部材に対して接続可能な構成としたが、本発明はこれに限られない。すなわち、回動部材を回転させるための操作ピン等の操作部材を回動部材に一体的に接続してもよい。このような構成では、回動部材と、回動部材支持部と、操作部材とによりガイドポール操作機構が構成される。
【００５０】
なお、上記実施形態では、回動部材支持部６Ｄの収容空間６Ｇを、大径の円柱状の本体部６Ｇ１と、截頭円錐台状の縮径部６Ｇ３と、小径の円柱状の小径部６Ｇ２とにより構成したが、収容空間の形状はこれに限られない。図１３〜図１５は、第２〜第４実施形態のレンズ鏡筒の回動部材支持部を示す断面図である。なお、第１実施形態と同様の構成の部材については、同じ符号を付して詳細な説明を省略する。
【００５１】
図１３に示すように、第２実施形態では、回動部材支持部１０６Ｄの収容空間１０６Ｇは、大径の円柱状の本体部１０６Ｇ１と、小径の円柱状の小径部１０６Ｇ２と、本体部１０６Ｇ１と小径部１０６Ｇ２との間の縮径部１０６Ｇ３と、により構成されている。第２実施形態では、縮径部１０６Ｇ３を形成する壁面は光軸方向の断面において回動部材１６と同径の円弧状に形成されている。
【００５２】
また、図１４に示すように、第３実施形態では、回動部材支持部２０６Ｄの収容空間２０６Ｇは、大径の円柱状の本体部２０６Ｇ１と、本体部２０６Ｇ１に連続する小径の円柱状の小径部１０６Ｇ２と、により構成されている。
【００５３】
また、図１５示すように、第４実施形態では、回動部材支持部３０６Ｄの収容空間３０６Ｇは、大径の円柱状の本体部３０６Ｇ１と、小径の円柱状の小径部３０６Ｇ２と、本体部３０６Ｇ１と小径部３０６Ｇ２との間の縮径部３０６Ｇ３と、により構成されている。第４実施形態では、縮径部３０６Ｇ３を構成する壁面は光軸方向の断面において、内側に凸となるような円弧状に形成されている。
【００５４】
上記の実施形態では、フォーカス用のレンズ群を保持するレンズ保持枠を支持するガイドポールを調整する構成を例に挙げて説明したが、本発明はこれに限定されるものではない。例えば、ズーミング時に光軸方向に沿って移動するレンズ（又はレンズ群）や、調芯のために光軸方向に沿って移動させるレンズ（又はレンズ群）を保持するレンズ保持枠を支持するためのガイドポールを調整する構成を採用することもできる。
【符号の説明】
【００５５】
１          レンズ鏡筒
２          ケーシング
４          マウント
４Ａ        開口
４Ｂ        保持部
６          後部鏡筒
６Ａ        板部
６Ｂ        外周部
６Ｃ        開口
６Ｄ        回動部材支持部
６Ｆ        開口
６Ｇ        収容空間
６Ｇ１      本体部
６Ｇ２      小径部
６Ｇ３      縮径部
６Ｈ        第１の保持部
８          主鏡筒
８Ａ        中間板
８Ｂ        後方外周部
８Ｃ        前方外周部
８Ｄ        開口
８Ｅ        第１の後方保持部
８Ｆ        第２の後方保持部
８Ｇ        第１の前方保持部
８Ｈ        第２の前方保持部
８Ｉ        段部
１０        先端部材
１０Ａ      開口
１０Ｂ      第１の保持部
１０Ｃ      第２の保持部
１２        レンズ群保持枠
１４        第１レンズ群保持枠
１４Ａ      レンズ
１６        回動部材
１６Ａ      貫通孔
１６Ｂ      突部
１６Ｃ      凹部
１８Ａ      第１の後方ガイドポール
１８Ｂ      第２の後方ガイドポール
２０Ａ      第１の前方ガイドポール
２０Ｂ      第２の前方ガイドポール
２２        後方レンズ保持枠（レンズ保持枠）
２２Ａ      保持枠本体
２２Ｂ      ガイドポール保持部
２２Ｃ      切欠部
２２Ｄ      駆動部
２２Ｅ      後方レンズ
２４        第１のモータ
２４Ａ      シャフト
２６        前方レンズ保持枠
２６Ａ      保持枠本体
２６Ｂ      ガイドポール保持部
２６Ｅ      レンズ
２８        第２のモータ
３０        ガイドポール調整機構
３２        操作ピン
３２Ａ      接続部
３２Ｂ      本体部
１０６Ｄ    回動部材支持部
１０６Ｇ    収容空間
１０６Ｇ１  本体部
１０６Ｇ２  小径部
１０６Ｇ３  縮径部
２０６Ｄ    回動部材支持部
２０６Ｇ    収容空間
２０６Ｇ１  本体部
３０６Ｄ    回動部材支持部
３０６Ｇ    収容空間
３０６Ｇ１  本体部
３０６Ｇ２  小径部
３０６Ｇ３  縮径部
【図１】
2020064214.tif 000003
【図２】
2020064214.tif 000004
【図３】
2020064214.tif 000005
【図４】
2020064214.tif 000006
【図５】
2020064214.tif 000007
【図６】
2020064214.tif 000008
【図７】
2020064214.tif 000009
【図８】
2020064214.tif 000010
【図９】
2020064214.tif 000011
【図１０】
2020064214.tif 000012
【図１１】
2020064214.tif 000013
【図１２】
2020064214.tif 000014
【図１３】
2020064214.tif 000015
【図１４】
2020064214.tif 000016
【図１５】
2020064214.tif 000017